(57)【要約】      （修正有）【課題】時分割表示を行う投影装置を複数用いるシステムにおいて、投影装置のコストアップを抑制しながら色割れを改善する。【解決手段】投影制御装置１０２は、色空間を構成する複数の原色の画像情報が含まれる入力画像信号１０１を、フレームごとに取得する取得手段と、入力画像信号に基づいて、複数の原色の画像情報の表示順序を定めた複数の画像信号を生成する生成手段と、複数の画像信号のそれぞれを複数の投影装置のうちの異なる投影装置に出力する出力手段と、を有する。複数の投影装置のそれぞれは、複数の画像信号のうちの１つの画像信号を、表示順序に従って時分割して投影する投影手段を有する。生成手段は、少なくとも２つの異なる色の画像情報を複数の投影装置が同時に投影し、かつ、複数の投影装置が同時に投影する画像情報が入力画像信号において同一のフレームに含まれる画像情報であるように表示順序を定めた複数の画像信号を生成する。【選択図】図１
2019125980.tif 000002
【特許請求の範囲】
【請求項１】
投影制御装置と、それぞれの投影画像が投影面で重畳するように投影する複数の投影装置とを含む投影システムであって、
前記投影制御装置は、
色空間を構成する複数の原色の画像情報が含まれる入力画像信号を、フレームごとに取得する取得手段と、
前記入力画像信号に基づいて、前記複数の原色の画像情報の表示順序を定めた複数の画像信号を生成する生成手段と、
前記複数の画像信号のそれぞれを前記複数の投影装置のうちの異なる投影装置に出力する出力手段と、を有し、
前記複数の投影装置のそれぞれは、
前記複数の画像信号のうちの１つの画像信号を、前記表示順序に従って時分割して投影する投影手段を有し、
前記生成手段は、少なくとも２つの異なる色の画像情報を前記複数の投影装置が同時に投影し、かつ、前記複数の投影装置が同時に投影する画像情報が前記入力画像信号において同一のフレームに含まれる画像情報である、ように前記表示順序を定めた前記複数の画像信号を生成する、ことを特徴とする投影システム。
【請求項２】
前記生成手段は、前記複数の画像信号の少なくとも１つについて、前記入力画像信号における第１のフレームに含まれる第１の複数の原色の画像情報の少なくともいずれかを、前記第１のフレームと隣接する第２のフレームに含まれる第２の複数の原色の画像情報のうちの同一の色の画像情報で置き換える、ことを特徴とする請求項１に記載の投影システム。
【請求項３】
前記投影制御装置は、前記第１の複数の原色の画像情報を格納するための第１の記憶手段と、前記第２の複数の原色の画像情報を格納するための第２の記憶手段と、を更に有し、
前記生成手段は、前記第１の記憶手段に格納した前記第１の複数の原色の画像情報の少なくともいずれかを、前記第２の記憶手段に格納した前記第２の複数の原色の画像情報のうちの同一の色の画像情報で置き換える、ことを特徴とする請求項２に記載の投影システム。
【請求項４】
前記入力画像信号は、フレームの開始を示す信号を含む同期信号を更に含み、
前記生成手段は、前記複数の画像信号の２つ以上において位相が異なるようにずらした前記同期信号を、前記複数の画像信号のそれぞれに含める、ことを特徴とする請求項２又は３に記載の投影システム。
【請求項５】
前記生成手段は、前記複数の画像信号の２つ以上において、異なるずれ量で位相が異なるようにずらした前記同期信号を、前記複数の画像信号のそれぞれに含める、ことを特徴とする請求項４に記載の投影システム。
【請求項６】
前記生成手段は、前記ずれ量の大きさに応じて、前記第２の複数の原色の画像情報のうちの同一の色の画像情報で置き換える数を異ならせる、ことを特徴とする請求項５に記載の投影システム。
【請求項７】
前記ずれ量は、フレームの期間の３分の１又はフレームの期間の３分の２の期間を含む、ことを特徴とする請求項５又は６に記載の投影システム。
【請求項８】
前記生成手段は、前記複数の投影装置が三原色の画像情報を同時に投影し、かつ、前記複数の投影装置が同時に投影する該三原色の画像情報が前記入力画像信号において同一のフレームに含まれる画像情報である、ように前記表示順序を定めた３つの画像信号を生成する、ことを特徴とする請求項１から７のいずれか１項に記載の投影システム。
【請求項９】
それぞれの投影画像が投影面で重畳するように投影する複数の投影装置へ、画像信号を出力する投影制御装置であって、
色空間を構成する複数の原色の画像情報が含まれる入力画像信号を、フレームごとに取得する取得手段と、
前記入力画像信号に基づいて、前記複数の原色の画像情報の表示順序を定めた複数の画像信号を生成する生成手段と、
前記複数の画像信号のそれぞれを前記複数の投影装置のうちの異なる投影装置に出力する出力手段と、を有し、
前記生成手段は、前記複数の投影装置が前記表示順序に従って時分割して投影した場合に、少なくとも２つの異なる色の画像情報を前記複数の投影装置が同時に投影し、かつ、前記複数の投影装置が同時に投影する画像情報が前記入力画像信号において同一のフレームに含まれる画像情報である、ように前記表示順序を定めた前記複数の画像信号を生成する、ことを特徴とする投影制御装置。
【請求項１０】
それぞれの投影画像が投影面で重畳するように投影する複数の投影装置へ、画像信号を出力する投影制御装置の制御方法であって、
取得手段が、色空間を構成する複数の原色の画像情報が含まれる入力画像信号を、フレームごとに取得する取得工程と、
生成手段が、前記入力画像信号に基づいて、前記複数の原色の画像情報の表示順序を定めた複数の画像信号を生成する生成工程と、
出力手段が、前記複数の画像信号のそれぞれを前記複数の投影装置のうちの異なる投影装置に出力する出力工程と、を有し、
前記生成工程では、前記複数の投影装置が前記表示順序に従って時分割して投影した場合に、少なくとも２つの異なる色の画像情報を前記複数の投影装置が同時に投影し、かつ、前記複数の投影装置が同時に投影する画像情報が前記入力画像信号において同一のフレームに含まれる画像情報である、ように前記表示順序を定めた前記複数の画像信号を生成する、ことを特徴とする投影制御装置の制御方法。
【請求項１１】
コンピュータを投影制御装置の各手段として機能させるためのプログラムであって、
それぞれの投影画像が投影面で重畳するように投影する複数の投影装置へ、画像信号を出力する前記投影制御装置は、
色空間を構成する複数の原色の画像情報が含まれる入力画像信号を、フレームごとに取得する取得手段と、
前記入力画像信号に基づいて、前記複数の原色の画像情報の表示順序を定めた複数の画像信号を生成する生成手段と、
前記複数の画像信号のそれぞれを前記複数の投影装置のうちの異なる投影装置に出力する出力手段と、を有し、
前記生成手段は、前記複数の投影装置が前記表示順序に従って時分割して投影した場合に、少なくとも２つの異なる色の画像情報を前記複数の投影装置が同時に投影し、かつ、前記複数の投影装置が同時に投影する画像情報が前記入力画像信号において同一のフレームに含まれる画像情報である、ように前記表示順序を定めた前記複数の画像信号を生成する、ことを特徴とするプログラム。
【請求項１２】
コンピュータを投影制御装置の各手段として機能させるためのプログラムを格納する記録媒体であって、
それぞれの投影画像が投影面で重畳するように投影する複数の投影装置へ、画像信号を出力する前記投影制御装置は、
色空間を構成する複数の原色の画像情報が含まれる入力画像信号を、フレームごとに取得する取得手段と、
前記入力画像信号に基づいて、前記複数の原色の画像情報の表示順序を定めた複数の画像信号を生成する生成手段と、
前記複数の画像信号のそれぞれを前記複数の投影装置のうちの異なる投影装置に出力する出力手段と、を有し、
前記生成手段は、前記複数の投影装置が前記表示順序に従って時分割して投影した場合に、少なくとも２つの異なる色の画像情報を前記複数の投影装置が同時に投影し、かつ、前記複数の投影装置が同時に投影する画像情報が前記入力画像信号において同一のフレームに含まれる画像情報である、ように前記表示順序を定めた前記複数の画像信号を生成する、ことを特徴とする記録媒体。
【発明の詳細な説明】
【技術分野】
【０００１】
本発明は、色割れを改善する投影システム、投影制御装置及びその制御方法、プログラムならびに記録媒体に関する。
【背景技術】
【０００２】
近年、画像や映像を投影面に投射して表示する投影装置として、ＲＧＢ（Ｒｅｄ、Ｇｒｅｅｎ、Ｂｌｕｅ）の各原色に対応した３つの画像表示素子を持つ３板式投影装置や、単一の画像表示素子しか持たない単板式投影装置などが知られている。
【０００３】
単板式投影装置では、単一の画像表示素子を照射する光源からの照射光を高速にＲＧＢに切り換えつつ、画像表示素子の空間変調パターンをＲＧＢ単色画像に対応するものに切り換えることにより、自然色画像を投影する時分割表示を行うものが知られている。時分割表示による方法を用いることにより、高価な画像表示素子を１つにすることができ、それでいて優れた品質の画像を得ることができる。
【０００４】
時分割表示による方法では、高速に切り換わるＲＧＢ単色の投影像が網膜上に残像として残る現象を利用して自然色画像を認識させる。このため、被写体や視聴する人の頭の急激な移動がある場合には、網膜上の画像位置が移動して適切に重ならず、虹のような模様が認識される色割れ（カラーブレイクともいう）が生じる場合がある。
【０００５】
色割れを改善するために、時分割表示を行う投影装置を複数使用する技術が知られている（特許文献１、特許文献２）。これらの技術では、少なくとも一台の投影装置のＲＧＢの点灯順又は点灯色選択を他の投影装置と異ならせて重畳投影することにより、それぞれの瞬間には他の原色が混ざり、色割れを改善することができる。
【先行技術文献】
【特許文献】
【０００６】
【特許文献１】特開２００６−１１４９４８号公報
【特許文献２】特開２００６−１１５０７７号公報
【発明の概要】
【発明が解決しようとする課題】
【０００７】
しかしながら、上述の先行技術では、投影装置内に、ＲＧＢの点灯順を変更可能とする、或いは点灯色選択を変更可能とする特別な構成を必要とするため、投影装置自体のコストアップに繋がる。また、当該特別な構成を複数の投影装置のそれぞれに持たせるため、システム全体としてのコストアップは更に大きくなる場合がある。このような課題に対し、色割れを改善するために、投影装置自体にＲＧＢの点灯順や色選択を変更する特別な構成を導入していない投影装置を利用可能な、投影装置に対するコストアップの少ない対処方法が望まれている。
【０００８】
本発明は、上記課題に鑑みてなされ、その目的は、時分割表示を行う投影装置を複数用いるシステムにおいて、投影装置のコストアップを抑制しながら色割れを改善することが可能な技術を実現することである。
【課題を解決するための手段】
【０００９】
この課題を解決するため、例えば本発明の投影システムは以下の構成を備える。すなわち、投影制御装置と、それぞれの投影画像が投影面で重畳するように投影する複数の投影装置とを含む投影システムであって、前記投影制御装置は、色空間を構成する複数の原色の画像情報が含まれる入力画像信号を、フレームごとに取得する取得手段と、前記入力画像信号に基づいて、前記複数の原色の画像情報の表示順序を定めた複数の画像信号を生成する生成手段と、前記複数の画像信号のそれぞれを前記複数の投影装置のうちの異なる投影装置に出力する出力手段と、を有し、前記複数の投影装置のそれぞれは、前記複数の画像信号のうちの１つの画像信号を、前記表示順序に従って時分割して投影する投影手段を有し、前記生成手段は、少なくとも２つの異なる色の画像情報を前記複数の投影装置が同時に投影し、かつ、前記複数の投影装置が同時に投影する画像情報が前記入力画像信号において同一のフレームに含まれる画像情報である、ように前記表示順序を定めた前記複数の画像信号を生成する、ことを特徴とする。
【発明の効果】
【００１０】
本発明によれば、時分割表示を行う投影装置を複数用いるシステムにおいて、投影装置のコストアップを抑制しながら色割れを改善することが可能になる。
【図面の簡単な説明】
【００１１】
【図１】（Ａ）実施形態１に係る投影システムの構成例を示す図と、（Ｂ）投影装置に入力される信号を説明するための図
【図２】実施形態１に係る投影装置に入力される信号を詳細に説明するための図
【図３】実施形態１に係る投影制御装置の機能構成例を示すブロック図
【図４】実施形態１に係る投影制御装置に入力される信号と投影制御装置から出力される信号との関係を説明するための図
【図５】実施形態１に係る投影装置の機能構成例を示すブロック図
【図６】実施形態１に係る各投影装置に入力される信号と投影画像との関係を説明するための図
【図７】実施形態１に係る、サブフレーム時間が異なる場合の例を説明するための図
【図８】（Ａ）実施形態２に係る投影システムの構成例を示す図と、（Ｂ）投影装置に入力される信号を説明するための図
【図９】実施形態３に係る投影システムの構成例を示す図
【図１０】（Ａ）変形例に係る投影システムの構成例を示す図と、（Ｂ）投影装置に入力される信号を説明するための図
【発明を実施するための形態】
【００１２】
（実施形態１）
以下、本発明の例示的な実施形態について、図面を参照して詳細に説明する。なお、以下では、１台の投影制御装置と３台の投影装置とを用いる投影システムの例を説明する。投影制御装置の一例として、複数の投影装置のための画像信号を生成可能なパーソナルコンピュータを用いることができる。しかし、本実施形態は、パーソナルコンピュータに限らず、複数の投影装置のための画像信号を生成可能な他の機器にも適用可能である。これらの機器には、例えばデジタルカメラ、スマートフォンを含む携帯電話機、ゲーム機、タブレット端末、音声操作の可能なホーム端末、時計型や眼鏡型の情報端末、医療機器、車載用システムの機器などが含まれてよい。また、投影システムを構成する投影装置の一例として、時分割表示を行うプロジェクタを用いることができる。しかし、本実施形態は、プロジェクタに限らず、複数の機器によって重畳表示の可能な、時分割表示を行うデジタルサイネージ機器などが含まれてよい。
【００１３】
（投影システムの構成）
図１（Ａ）は、本実施形態に係る投影システムの構成例を示す図である。入力画像信号１０１は、本投影システムを用いて投影面１０５に投影しようとする画像信号である。ここでは、簡単のため、ＲＧＢの三原色に分かれたデジタル信号と、各フレームのタイミングを与えるフレーム同期信号が並列に入力される信号であるものとする。なお、ＲＧＢの三原色の画像情報に相当する信号とフレーム同期情報に相当する信号を内包していれば、必ずしもＲＧＢの三原色信号の形式でなくてもよい。入力画像信号１０１に内包されるＲＧＢの三原色の画像情報とフレーム同期情報に対して、後述するような処理が等価的に行われれば、画像信号の形式として他の形式を用いてもよい。
【００１４】
投影制御装置１０２は、１つの入力画像信号１０１を取得すると、投影装置１０４ごとに異なる３つの画像信号１０３（ＲＧＢデジタル信号とフレーム同期信号）に変換して、投影装置１０４に出力する。
【００１５】
画像信号１０３は、投影制御装置１０２が各投影装置へ出力する画像信号である。ここでは、簡単のため、画像信号１０３は、ＲＧＢの三原色に分かれたデジタル信号と、各フレームのタイミングを与えるフレーム同期信号とが並列する構成で含まれる。画像信号１０３−１は、投影装置１０４−１（ＰＪ１）へ出力される画像信号を示し、画像信号１０３−２は、投影装置１０４−２（ＰＪ２）へ出力される画像信号を示す。同様に、画像信号１０３−３は、投影装置１０４−３（ＰＪ３）に出力される画像信号を示す。なお、投影制御装置１０２から出力される画像信号を総称する場合には１０３の符号を付す。また、画像信号１０３は、ＲＧＢの三原色の画像情報に相当するものとフレーム同期情報に相当するものを内包しているものであれば、この構成に限定されない。それぞれの投影装置に入力する画像信号の詳細は後述する。
【００１６】
投影装置１０４は、投影面１０５に画像を投射することが可能な投影装置である。本実施形態では、それぞれＰＪ１、ＰＪ２、ＰＪ３の３台の投影装置から構成される例を説明するが他の台数であってもよい。なお、投影装置を総称する場合には１０４の符号を付し、個別に区別する場合にはＰＪ１、ＰＪ２、ＰＪ３に対して順に１０４−１、１０４−２、１０４−３の符号を付す。１０５は投影面であり、複数の投影装置１０４からの投影画像のそれぞれが、この投影面上に投影され、重畳する。
【００１７】
図１（Ｂ）は、各投影装置１０４から投影される投影画像のタイミングを示している。投影装置１０４−１、投影装置１０４−２、投影装置１０４−３によって投影される投影画像の推移を、それぞれ「ＰＪ１投影画像」、「ＰＪ２投影画像」、「ＰＪ３投影画像」として表している。投影画像の推移は、フレーム同期信号１５１〜１５３と、投影画像１５４〜１５６とで表される。フレーム同期信号１５１〜１５３に対する縦軸は信号強度を示し、投影画像１５４〜１５６に対する縦軸は投影画像の強度を示している。横軸はいずれの場合も時間を示している。それぞれの投影画像の強度は、図示の便宜上、一定値として示されているが、一般的には画素値によって強度が異なる。
【００１８】
投影画像１５４〜１５６に示すＲ１、Ｇ１、Ｂ１は、入力画像信号１０１に含まれる、あるフレーム（例えば１番目とする）に属するＲ画像、Ｇ画像、Ｂ画像である。Ｒ２、Ｇ２、Ｂ２と、Ｒ３、Ｇ３、Ｂ３とは、入力画像信号１０１に含まれる、それぞれ次のフレーム（２番目）と、更に次のフレーム（３番目）に属するＲ画像、Ｇ画像、Ｂ画像である。１番目のフレームを便宜上、前フレームと呼び、２番目と３番目のフレームを便宜上、それぞれ後フレームと後後フレームと呼ぶ。
【００１９】
図２は、この図１（Ｂ）に示した信号の様子をより詳細に示している。各ＰＪ投影画像に示す推移における上段と下段の信号は、図１（Ｂ）と同様のフレーム同期信号と投影画像である。
【００２０】
フレーム同期信号は、１フレーム期間ごとに立つパルス信号によって構成され、その１フレーム期間は、それより短い３つのサブフレーム期間を内包している。サブフレーム期間には、それぞれＲ画像、Ｇ画像、Ｂ画像がこの順に投影される。ＰＪ投影画像に示す推移のそれぞれでは、フレーム同期信号の位相が投影装置１０４ごとにずらされている。例えば、ＰＪ２投影画像に示す推移では、フレーム同期信号の位相が、ＰＪ１投影画像に示すフレーム同期信号の位相よりもサブフレーム１つ分だけずれており、ＰＪ３投影画像に示すフレーム同期信号の位相は、更にサブフレーム１つ分だけずれている。このため、例えば投影装置１０４−１がＲ画像を投影するタイミングでは投影装置１０４−２がＢ画像、投影装置１０４−３がＧ画像を投影し、投影面１０５上では、全ての瞬間でＲＧＢのそろった自然色画像が表示されることになる。このようにすることで、色割れが生じない投影画像の表示が可能になる。
【００２１】
また、ＰＪ２投影画像のＢ画像と、ＰＪ３投影画像のＲ画像及びＧ画像とは、フレーム同期信号の位相のずれによって、異なるフレーム（後フレーム）に属する画像に差し替えられている。これは、最終的に重畳投影された画像におけるフレーム間の画像の混合を避けるためである。このようにすることで、フレーム間で混合のない重畳投影画像が得られる。なお、異なるフレームに属する画像への差し替え方法は、必ずしも図２に示す通りでなくてもよい。各投影装置１０４に入力される画像信号の組み合わせによっては、他の原色画像が異なるフレームの画像に差し替えられてもよい。
【００２２】
（投影制御装置の構成）
更に、図３と図４とを参照して、投影制御装置１０２の構成について説明するとともに、投影制御装置１０２による信号変換処理と投影装置１０４間の同期の仕組みとについて説明する。図３は、投影制御装置１０２に係る機能構成例を示している。
【００２３】
メモリ切り換え部３０１は、演算装置又ソフトウェアモジュールを含み、入力画像信号１０１に含まれる画像信号をフレームメモリＡ３０２又はフレームメモリＢ３０３に書き込む。フレームメモリＡ３０２とフレームメモリＢ３０３は、例えばＤＲＡＭ等の半導体メモリから構成される揮発性の記憶媒体であり、メモリ切り換え部３０１の指示に応じて画像情報を記憶する。
【００２４】
位相制御部３０４は、演算装置又はソフトウェアモジュールを含み、入力画像信号１０１に含まれるフレーム同期信号に基づいて、各投影装置１０４に出力するための、位相のずれた３つのフレーム同期信号を生成する。選択部３０５は、演算装置又はソフトウェアモジュールを含む。選択部３０５は、フレームメモリＡ３０２とフレームメモリＢ３０３とに格納されたＲＧＢ画像信号を選択して、各投影装置１０４に出力するための、表示タイミングを異ならせたＲＧＢデジタル信号を生成する。生成されたＲＧＢデジタル信号は、後に対応するフレーム同期信号と合成され、画像信号１０３−１〜１０３−３として出力される。
【００２５】
制御部３０６は、例えばＣＰＵ（或いはＧＰＵ）等のプロセッサ、ＲＯＭ、ＲＡＭ等を含み、ＲＯＭに記憶されたプログラムをＲＡＭに展開、実行することにより、投影制御装置１０２全体の動作を制御する。制御部３０６は、不図示のバスによって図３に示す各部と接続されており、各部の動作を制御したり、各部同士の信号のやり取りを制御したりすることができる。なお、メモリ切り換え部３０１、位相制御部３０４、選択部３０５に代えて、これら１つ以上の動作を、制御部３０６がプログラムを実行することにより実現してもよい。
【００２６】
記録媒体３０７は、例えば半導体メモリ等の不揮発性メモリを含み、画像や映像を記録可能な記録媒体である。記録媒体３０７は着脱可能に構成されてもよく、投影制御装置１０２において書き込んだ画像等のデータを他の外部装置において読み出し可能にしてもよい。
【００２７】
（信号変換処理の動作）
次に、投影制御装置１０２による信号変換処理の動作について説明する。なお、信号変換処理の動作は、制御部３０６がＲＯＭに記憶されたプログラムをＲＡＭに展開、実行することにより、投影制御装置１０２の各部の構成が制御部３０６の指示に応じて制御される。この動作は、例えば、制御部３０６が不図示の入力インタフェースにより入力画像信号１０１が入力されたことを検出したときに開始され、当該入力インタフェースは、制御部３０６の指示に応じて入力画像信号１０１をフレームごとに取得する。
【００２８】
まず、メモリ切り換え部３０１は、入力された入力画像信号１０１のＲＧＢの三原色に分離されているデジタル信号を、フレームごとに、フレームメモリＡ３０２とフレームメモリＢ３０３とに交互に書き込む。一方、位相制御部３０４は、入力画像信号に含まれる（各フレームのタイミングを与えるための）フレーム同期信号を、３つのフレーム同期信号として生成する。生成されるフレーム同期信号の１つは、例えば、１フレーム期間と位相の合っている同期信号である。他の２つのフレーム同期信号は、例えば、サブフレーム期間に相当する時間の１つ分又は２つ分の位相をずらしたフレーム同期信号である。位相制御部３０４は、生成した３つのフレーム同期信号を選択部３０５に出力する。
【００２９】
選択部３０５は、この３つのフレーム同期信号を基準にして、フレームメモリＡ３０２とフレームメモリＢ３０３とからデジタル信号を選択的に読み出すことにより、３種類のＲＧＢデジタル信号を生成し、生成した信号を１つずつ各投影装置へ出力する。
【００３０】
そして、位相制御部３０４で生成された位相のずれた３つのフレーム同期信号が、選択部３０５で生成された対応するＲＧＢデジタル信号と合成され、画像信号１０３−１、画像信号１０３−２、画像信号１０３−３として出力される。
【００３１】
更に、図４を参照して、入力画像信号１０１と、投影制御装置１０２から各投影装置１０４に出力される画像信号との関係について説明する。図４では、入力画像信号１０１のうち連続する２フレーム（前フレーム、後フレーム）に対応する信号に対する処理の例を示している。また「フレームメモリＡ」は、フレームメモリＡ３０２に記録されたＲＧＢデジタル信号を示しており、「フレームメモリＢ」は、フレームメモリＢ３０３に記録されたＲＧＢデジタル信号を示している。
【００３２】
入力画像信号１０１は、ＲＧＢの三原色に分かれたデジタル信号と、各フレームのタイミングを与えるフレーム同期信号が並列となるように構成されている。図４に示す「入力画像信号」のうち、上段はフレーム同期信号、下段はＲＧＢの三原色に分かれたデジタル信号を表している。図２等と同様、縦軸は信号の強度を示し、横軸は時間を示す。
【００３３】
連続する２フレームのうち、前フレームの開始を示すフレーム同期信号のパルス４０１に続き、１フレーム期間内に、ＲＧＢの三原色に分かれた３つのデジタル信号（Ｒ画像、Ｇ画像、Ｂ画像）が、並列に入力される。このとき、各デジタル信号は、画面を構成する最初の画素から最後の画素まで、順次入力される。例えば、入力画像信号を示す図では、下段に示した３列の信号がデジタル信号を表しており、上からＲ画像信号、Ｇ画像信号、Ｂ画像信号に対応する。それぞれの信号の波形は、描画の便宜上、全画素同じ一定強度に示しているが、一般的には画素によって信号値が異なる。
【００３４】
メモリ切り換え部３０１は、入力画像信号を、そのフレームのために割り当てたフレームメモリ（仮にフレームメモリＡとする）に、順次、記録していく。図４では、各フレームメモリ内に占める各フレームのデータ量の時間的変化を、図中の「フレームメモリＡ」及び「フレームメモリＢ」の棒状のパターンで表している。４５１に示すように、フレーム同期信号のパルス４０１の直後には、前回書き込まれた情報がフレームメモリＡの容量のほぼ全てを占めている。しかし、前回書き込まれたデータは、時間の経過に従って、新しいフレーム（すなわち前フレーム）のＲ画像、Ｇ画像、Ｂ画像の情報に書き換えられて減少していく。一方、４５２に示すように、新しいフレームのデータは時間の経過に従って増加する。１フレームの時間を経過した後には、フレームメモリＡのデータは、完全に新しいフレームのデータに書き換えられる。すなわち、４５１に示すように、新しいフレームのデータの書き込みを開始してから前フレームの期間が経過すると、前回書き込まれたデータは無くなる。前フレームの期間が終了した際には、フレーム同期信号の次のパルス４０２が立ち、後フレームの期間が開始される。
【００３５】
メモリ切り換え部３０１は、１フレーム分の画像の情報をフレームメモリに書き込むと、書き込み対象のフレームメモリをもう一方のフレームメモリに切り換える。例えば、図４に示す例では、書き込み対象がフレームメモリＡからフレームメモリＢに切り換わっている。そして、メモリ書き換え部３０１は、連続する２フレームのうち、後フレームのＲ画像、Ｇ画像、Ｂ画像の情報を、順次、フレームメモリＢに書き込んでいく。メモリ切り換え部３０１は、後フレームの期間には、フレームメモリＡには何も書き込まないため、フレームメモリＡに書き込まれた前フレームのＲ画像、Ｇ画像、Ｂ画像の情報は、後フレームの期間に渡ってそのまま保持される。
【００３６】
次に、選択部３０５による、フレームメモリに格納されたデジタル信号から３つのＲＧＢデジタル信号を生成する処理、及び、位相制御部３０４による、位相のずれた３つのフレーム同期信号を生成する処理について説明する。
【００３７】
画像信号１０３−１について、位相制御部３０４は、入力画像信号１０１のフレーム同期信号から丁度１フレーム期間だけ位相がずれた、フレーム同期信号４１１を生成する。すなわち、フレーム同期信号４１１の最初のパルス４１０は、入力画像信号１０１における前フレームの開始を示すパルス４０１から１フレーム期間遅れており、後フレームの開始を示すパルス４０２と同じタイミングとなる。このとき、パルス４０２のタイミングでは、入力画像信号１０１の前フレームのＲ、Ｇ、Ｂ画像の情報がフレームメモリＡに保持されているため、これらを、ＲＧＢデジタル信号４１２のＲ、Ｇ、Ｂ画像信号として、フレーム同期信号４１１と同期させる。選択部３０５は、ＲＧＢデジタル信号４１２のＲ画像信号としてフレームメモリＡ３０２のＲ画像の情報、同Ｇ画像信号としてフレームメモリＡのＧ画像の情報、同Ｂ画像信号としてフレームメモリＡ３０２のＢ画像の情報を選択する。このように、選択部３０５は、順次、フレームメモリから画像の情報を読み出して、投影装置１０４−１に画像信号を出力する。このとき、出力される画像信号１０３のそれぞれは、ＲＧＢの三原色に分かれた３つのデジタル信号（Ｒ画像、Ｇ画像、Ｂ画像）が並列に並んだＲＧＢデジタル信号とフレーム同期信号とを含む。なお、３つのデジタル信号は並列に並んでいるが、後述するように、これらの３つのデジタル信号は投影装置の時分割表示によってＲからＢの順に表示される。従って、画像信号１０３は、入力画像信号に基づいて生成された、Ｒ画像、Ｇ画像、Ｂ画像の表示順序を定めた画像信号である。
【００３８】
画像信号１０３−２について、位相制御部３０４は、入力画像信号１０１のフレーム同期信号から１フレーム期間＋１サブフレーム期間だけ位相をずらした、フレーム同期信号４２１を生成する。すなわち、フレーム同期信号４２１の最初のパルス４２０は、入力画像信号１０１の後フレームの始まりを示すパルス４０２から更に１サブフレーム期間後にある。従って、この時点では、フレームメモリＡ３０２には、入力画像信号１０１の前フレームのＲ画像信号、Ｇ画像信号、Ｂ画像信号が保持されている。さらに、フレームメモリＢへの入力画像信号１０１の後フレームのＲ画像信号、Ｇ画像信号、Ｂ画像信号の書き込みも、その一部が終わっている。このため、選択部３０５は、これらの画像の情報を、ＲＧＢデジタル信号４２２のＲ画像信号、Ｇ画像信号、Ｂ画像信号として、フレーム同期信号４２１と同期させる。選択部３０５は、ＲＧＢデジタル信号４２２のＲ画像信号としてフレームメモリＡのＲ画像情報、同Ｇ画像信号としてフレームメモリＡのＧ画像情報、同Ｂ画像信号としてフレームメモリＢのＢ画像情報を選択する。このように、選択部３０５は、順次、フレームメモリから画像の情報を読み出して、投影装置１０４−２に出力する。
【００３９】
画像信号１０３−３について、位相制御部３０４は、入力画像信号１０１のフレーム同期信号から１フレーム期間＋２サブフレーム期間だけ位相をずらした、フレーム同期信号４３１を生成する。すなわち、フレーム同期信号４３１の最初のパルス４３０は、入力画像信号１０１の、後フレームの始まりを示すパルス４０２から更に２サブフレーム期間後にある。従って、この時点では、フレームメモリＡ３０２には、入力画像信号１０１の前フレームのＲ画像信号、Ｇ画像信号、Ｂ画像信号に対する書き込みが保持されている。さらに、フレームメモリＢへの入力画像信号１０１の後フレームのＲ画像信号、Ｇ画像信号、Ｂ画像信号の書き込みも、そのかなりの部分が終わっている。このため、選択部３０５は、これらの画像信号を、ＲＧＢデジタル信号４３２のＲ画像信号、Ｇ画像信号、Ｂ画像信号として、フレーム同期信号４３１と同期させる。選択部３０５は、画像のＲ画像信号としてフレームメモリＡのＲ画像情報、同Ｇ画像信号としてフレームメモリＢのＧ画像情報、同Ｂ画像信号としてフレームメモリＢのＢ画像情報を選択する。このように、選択部３０５は、順次、画像情報をフレームメモリからの読み出し、投影装置１０４−３に出力する。
【００４０】
このようにして、投影制御装置１０２は、入力画像信号１０１を、各投影装置に出力するための画像信号１０３に変換する。そして、各投影装置に出力された画像信号は、各投影装置により表示順序に従った投影画像として投影される。
【００４１】
（投影装置の構成）
次に、図５を参照して、時分割表示を行う投影装置１０４の構成について説明する。投影装置１０４は、投影制御装置１０２から出力された画像信号１０３の１つを入力して、時系列にＲ画像信号、Ｇ画像信号、Ｂ画像信号が並ぶ信号（ＲＧＢ時分割信号）に組み替える。そして、組み替えたＲＧＢ時分割信号を投影画像として投影面１０５へ投影する。なお、ＲＧＢ時分割信号への組み換えは、時分割表示を行う投影装置で通常行われる動作であって構わない。
【００４２】
高速選択部５０１は、演算装置又はソフトウェアモジュールを含み、並列なＲ，Ｇ，Ｂの３本のデジタル信号を含む画像信号１０３を取得して、画像信号をメモリ部５０２に格納するとともに、格納した信号を選択的に読み出してＲＧＢ時分割信号を生成する。メモリ部５０２は、例えばＤＲＡＭ等の揮発性メモリを含み、高速選択部５０１によって画像信号１０３に含まれる信号の全部又は一部を一時的に記憶する。
【００４３】
表示デバイス部５０３は、画像表示素子を含み、高速選択部５０１から出力されたＲＧＢ時分割信号（Ｒ画像信号、Ｇ画像信号、Ｂ画像信号の時系列信号）に従って、Ｒ画像、Ｇ画像、Ｂ画像を高速に切り換えて画像表示素子に表示する。光源部５０４は、高速選択部５０１から出力されたＲＧＢ時分割信号に従って、照射光を高速に赤色光、緑色光、青色光に切り換えて、表示デバイス部５０３の画像表示素子を照明する。
【００４４】
投影光学系５０５は、投影する光学像を通過させるレンズ群を含む。表示デバイス部５０３に表示された画像によって変調された、光源部５０４による照明光は、投影光学系５０５を介して投影面１０５に投影される。
【００４５】
制御部５０６は、例えばＣＰＵ（或いはＧＰＵ）等のプロセッサ、ＲＯＭ、ＲＡＭ等を含み、ＲＯＭに記憶されたプログラムをＲＡＭに展開、実行することにより、投影装置１０４全体の動作を制御する。制御部５０６は、不図示のバスによって図５に示す各部と接続されており、各部の動作を制御したり、各部同士の信号のやり取りを制御したりすることができる。なお、高速選択部５０１に代えて、高速選択部５０１の動作を制御部５０６がプログラムを実行することにより実現してもよい。
【００４６】
記録媒体５０７は、例えば半導体メモリ等を含み、画像や映像を記録可能な記録媒体である。記録媒体５０７は、着脱可能に構成されてもよく、例えば外部装置によって書き込まれた画像等のデータを、投影装置１０４に装着された場合に制御部５０６の指示に応じて読み出し、高速選択部５０１に供給してもよい。
【００４７】
次に、投影装置１０４の概略動作について説明する。投影制御装置１０２から入力される画像信号（例えば１０３−１）の中のＲ画像信号、Ｇ画像信号、Ｂ画像信号は、高速選択部５０１により、一旦、メモリ部５０２に記憶される。高速選択部５０１は、メモリ部５０２に記憶させた画像信号を、画像信号１０３−１の基本クロックの３倍以上のクロックでＲ画像信号、Ｇ画像信号、Ｂ画像信号の順にサンプリングする。高速選択部５０１は、サンプリングした画像信号を時系列信号として表示デバイス部５０３と光源部５０４とへ伝送する。表示デバイス部５０３は、伝達されたＲ画像信号、Ｇ画像信号、Ｂ画像信号に応じて、Ｒ画像、Ｇ画像、Ｂ画像を高速に切り換えて表示する。このとき、光源部５０４は、伝達されたＲ画像信号、Ｇ画像信号、Ｂ画像信号に応じて、赤色光、緑色光、青色光を高速に切り換えて、表示デバイス部５０３を照明する。
【００４８】
各投影装置１０４に入力される画像信号１０３と、投影装置１０４によって投影面１０５に投影された投影画像との関係を、図６を参照して説明する。図６（Ａ）には、各投影装置１０４に入力される画像信号１０３−１〜１０３−３を示しており、また、図６（Ｂ）には、各投影装置によって投影される投影画像の推移を示す「ＰＪ１投影画像」、「ＰＪ２投影画像」、「ＰＪ３投影画像」を示している。図６（Ｂ）は図１（Ｂ）に対応する。
【００４９】
図６（Ｂ）に示すフレーム同期信号１５１〜１５３は、上述のように、１フレーム期間ごとに立つパルス信号を含み、その１フレーム期間は、それより短い３つのサブフレーム期間を内包しており、各フレームでＲ画像、Ｇ画像、Ｂ画像がこの順に投影される。
【００５０】
フレーム同期信号１５１−１５３の位相がずらされているため、上述のように、例えば投影装置１０４−１がＲ画像を投影するタイミングでは投影装置１０４−２がＢ画像、投影装置１０４−３がＧ画像を投影する。更に、投影装置１０４−２のＢ画像、及び投影装置１０４−３のＧ画像、Ｂ画像は、入力画像信号１０１においては異なるフレーム（後フレーム）に属する画像に差し替えられている。
【００５１】
このように、それぞれの投影装置に出力される画像信号がフレーム同期信号の位相がずれているにもかかわらず、最終的に、それぞれの投影装置から同時に投影される画像は、全て入力画像信号１０１において同じフレームに属す画像となっている。すなわち、異なるフレームの画像が異なる投影装置から投影されて投影面で混合され、画像が劣化するような事態は防止される。
【００５２】
このように、投影制御装置では、入力画像信号における前フレームに含まれるＲＧＢの画像情報の少なくともいずれかを、隣接する後フレームに含まれるＲＧＢの画像情報の同一の色の画像情報で置き換えるようにした。すなわち、投影装置が同一フレームに属するＲ画像、Ｇ画像、Ｂ画像をサブフレームごとに時分割して投影することを前提に、遅らせたサブフレーム期間の分だけ、前後のフレームに属するＲ画像、Ｇ画像、Ｂ画像を置き換える数を異ならせる。これにより、各投影装置において同時に投影される画像が入力画像信号において同一フレームに属するようになる。上述の例では、画像信号１０３−３のように、フレーム同期信号においてタイミングをずらしたサブフレーム期間の量（位相ずれ量）に応じて、対応するＲＧＢデジタル信号では、後のフレームから対応する数の同一の色の画像を置き換えている。
【００５３】
なお、上述のフレーム同期信号の位相ずれ量は、画像信号１０３−１では、入力画像信号１０１のフレーム同期信号から丁度１フレーム期間とした。また、画像信号１０３−１では、入力画像信号１０１のフレーム同期信号から１フレーム期間＋１サブフレーム期間であり、画像信号１０３−３では、入力画像信号１０１のフレーム同期信号から１フレーム期間＋２サブフレーム期間とした。しかし、必ずしも上述の通りでなくても良い。信号線の遅延や各投影装置固有の遅延、等の理由により、最適な位相ずれ量は上述とは異なる場合がある。その場合は、結果的に入力画像信号１０１の同一フレームに属する、異なる原色の画像同士が、略同時のタイミングで同一の投影面上に投影されるように、各投影装置のフレームのタイミングを調整する機能を持たせてもよい。例えば、投影制御装置１０２の不図示の操作部材を介して位相ずれ量に対する調整値を入力し、色割れがより良く改善されるようにしてもよい。
【００５４】
また、上述の実施形態では、サブフレーム期間は、Ｒ画像、Ｇ画像、Ｂ画像とも同じ長さであり、それぞれの期間が１フレーム期間の３分の１の期間であるものとして説明したが、必ずしもこの通りでなくともよい。例えば、サブフレーム期間がそれぞれ１フレーム期間の１／３ずつの時間となっていない場合の動作例を、図７を参照して説明する。
【００５５】
図７（Ａ）に示す投影システムの構成は、図１（Ａ）と共通である。図７（Ｂ）に示すＰＪ投影画像におけるフレーム同期信号７０１〜７０３とＲＧＢデジタル信号７０４〜７０６が図１（Ｂ）に示すものと異なっている。具体的には、ＰＪ投影画像における、Ｒ画像、Ｇ画像、Ｂ画像のサブフレーム期間が、図１（Ｂ）に示す各サブフレーム期間と異なる。Ｒ画像に対する期間は短く、Ｇ画像に対する期間は長く、Ｂ画像に対する期間はそれらの中間の長さ、となっている。また、フレーム同期信号の位相ずれ量は、「ＰＪ１投影画像」と「ＰＪ２投影画像」とでは、図１（Ｂ）の位相ずれ量と同一である。一方、「ＰＪ３投影画像」では、図１（Ｂ）の位相ずれ量よりもより大きな位相ずれ量が適用される。図７（Ｂ）に示す制御では、図１（Ｂ）の場合と比較すると、ＲＧＢの揃った自然色画像が投影面１０５上に表示される割合が若干低下する。しかし、ほとんどの瞬間で、入力画像信号１０１の同一フレームに属する、異なる原色の画像同士が、同一のタイミングで投影面上に投影される。すなわち、このようにしても色割れの改善を行うことができる。
【００５６】
（実施形態２）
次に、実施形態２について説明する。実施形態２に係る、投影システムと各投影装置に出力される投影画像の推移とを図８に示している。実施形態２では、外付け装置である投影制御装置が投影装置ごとに別体として設けられている。各投影制御装置は信号線で接続されており、各投影制御装置から各投影装置に出力するフレーム同期信号が１フレーム期間の１／３ずつ異なるように調整される。なお、本実施形態では、投影制御装置の構成が異なる点を除き、他の構成は実施形態１と共通である。従って、同一の構成については同一の参照番号を付して重複する説明は省略する。
【００５７】
実施形態２では、同一の構成を有する３台の投影制御装置８０１−１、８０１−２、８０１−３により構成される。８０１−１は投影装置１０４−１につながる投影制御装置であり、８０１−２は投影装置１０４−２につながる投影制御装置、８０１−３は投影装置１０４−３につながる投影制御装置である。３台の投影制御装置８０１は、信号線８０２によって接続される。
【００５８】
投影制御装置８０１のそれぞれは、それぞれが適用する位相ずれ量を、信号線８０２を介して伝達する。例えば、投影制御装置８０１−１が自己の位相ずれ量を、入力画像信号１０１のフレーム同期信号から丁度１フレーム期間とする場合、当該位相ずれ量を投影制御装置８０１−２へ伝送する。このとき、投影制御装置８０１−１の各部は自己の位相ずれ量にのみ対応するフレーム同期信号とＲＧＢデジタル信号とを生成して、画像信号１０３−１として出力する。
【００５９】
投影制御装置８０１−２では、入力画像信号１０１のフレーム同期信号から１フレーム期間＋１サブフレーム期間を自己の位相ずれ量として設定するとともに、この位相ずれ量を投影制御装置８０１−３へ伝送する。画像信号１０３−３では、入力画像信号１０１のフレーム同期信号から１フレーム期間＋２サブフレーム期間とした位相ずれ量を設定する。投影制御装置８０１−２と投影制御装置８０１−２とはそれぞれ、自己の位相ずれ量にのみ対応するフレーム同期信号とＲＧＢデジタル信号とを生成して、対応する投影装置へ出力する。
【００６０】
なお、入力画像信号１０１と各投影装置に与える画像信号との関係、更に、各投影装置で投影面に投影される投影画像との関係は、実施形態１と同一であるため、説明は省略する。このように、外付け装置である投影制御装置を複数台に分ければ、それぞれの投影制御装置はその動作速度や出力端子数などの能力が比較的小さい装置であっても利用することができる。
【００６１】
（実施形態３）
更に、実施形態３について、図９を参照して説明する。本実施形態は、入力画像信号１０１から各投影装置１０４に出力する画像信号への変換を、投影制御装置１０２が実際の投影に先立って実行し、生成した画像信号１０３を記録媒体に記録する。実際の投影する際には、画像信号１０３の記録された記録媒体が各投影装置に装着され、各投影装置がそれぞれに与えられた画像信号を読み出して投影を行う。
【００６２】
図９は、本実施形態に係る投影システムを示している。本実施形態の投影システムでは、入力画像信号１０１と投影制御装置１０２とが各投影装置とは直接的に接続されておらず、記録媒体を介してデータの受け渡しを行う。投影制御装置１０２によって変換された画像信号１０３は、投影制御装置１０２から着脱可能な記録媒体３０７−１〜３０７−３に記録される。そして、当該記録媒体は、それぞれ対応する投影装置に接続された３台の読み取り装置９０１−１〜９０１−３によって画像信号１０３が読み出される。９０２は３台の読み取り装置９０１を接続する信号線である。
【００６３】
本実施形態においては、外部装置である投影制御装置１０２で、上述のように３つの画像信号１０３を生成したうえで、それぞれの画像信号に基づいて、例えば制御部３０６がＲＧＢ時分割信号を生成する。制御部３０６は、生成したＲＧＢ時分割分割信号をそれぞれ異なる記録媒体３０７−１〜３０７−３に記録する。時分割信号は、図１（Ｂ）に示したように、投影装置１０４−２に対しては各フレームのＢ画像が、投影装置１０４−３に対しては各フレームのＲ画像とＧ画像とが、入力画像信号１０１において異なるフレーム（後フレーム）に属する画像となる。各読み取り装置９０１は、信号線９０２でつながれており、これにより各読み取り装置９０１から各投影装置１０４に与えるフレーム同期信号が１フレーム期間の１／３ずつ異なるように調整されている。
【００６４】
このように、投影制御装置１０２によるＲ画像、Ｇ画像、Ｂ画像の一部の入れ替えを、投影装置１０４による表示に対してリアルタイムには行わず、予め入れ替えを行った複数のコンテンツとして準備しておく方法で実施されても良い。
【００６５】
（変形例）
上述の実施形態は、例えば図１０に示すように（３台ではなく）２台の投影装置１０４を用いて重畳投影を行ってもよい。このような場合、各サブフレーム期間においてＲＧＢのそれぞれが揃った自然色画像が表示される訳ではないが、各サブフレーム期間において完全な原色ではなく、原色の混じった中間色が投影されるため、虹のような模様になる色割れを改善することができる。
【００６６】
図１０では、図１（Ａ）において、３台存在した投影装置１０４のうち、１０４−３が除かれており、また、各投影装置に与える画像信号１０３は２つである。すなわち、投影制御装置１０２では、選択部３０５が画像信号１０３−３を出力しないようにすればよい。投影装置１０４−１及び投影装置１０４−２は、対応する画像信号１０３を入力して、投影画像を投影面に表示する。図１０（Ｂ）には、当該２つの投影装置から投影される投影画像の推移を示しており、これらは図１（Ｂ）に示したＰＪ１投影画像及びＰＪ２投影画像と同一である。
【００６７】
上述したように、この変形例では、各サブフレーム期間において、投影画像が完全な原色ではなく、原色の混じった中間色になる。例えば、ＰＪ１投影画像において投影画像Ｒ２が投影される際には、ＰＪ２投影画像において投影画像Ｂ２が投影されるため、投影面１０５上ではマゼンタ色の画像が表示される。また、ＰＪ１投影画像において投影画像Ｇ２が投影される際には、ＰＪ２投影画像において投影画像Ｒ２が投影されるため、投影面１０５上ではイエロー色の画像が表示される。更に、ＰＪ１投影画像において、投影画像Ｂ２が投影される際にはＰＪ２投影画像において投影画像Ｇ２が投影されるため、投影面１０５上ではシアン色の投影画像が表示される。このように、各サブフレーム期間にＲ、Ｇ、Ｂの原色の画像が表示されないこととなり、色割れを改善することができる。
【００６８】
以上説明したように、それぞれの投影画像が投影面で重畳するように投影する複数の投影装置を含む投影システムにおいて、投影制御装置が、時分割表示を行う複数の投影装置から投影される画像が互いに異なる三原色の画像となるように画像信号を提供した。また、投影装置から投影される画像、投影制御装置が取得する入力画像信号の同一のフレームに含まれる三原色の画像であるようにした。このようにすることで、時分割表示を行う投影する投影装置がＲＧＢの点灯順又は点灯色選択を変更する機能を備えなくても、色割れを改善することができる。
【００６９】
上述の実施形態では、時分割表示をＲ、Ｇ、Ｂの順に表示する投影システムの例を示したが、必ずしもこれに限らない。これとは異なる順、例えばＢ、Ｇ、Ｒ、の順など、他の順番で表示してもよい。その場合、投影制御装置は投影装置の時分割表示の順に即して、複数の投影装置から同時に投影される画像が互いに異なる色の画像となるように画像信号を提供すればよい。また、上述の投影システムは、Ｒ、Ｇ、Ｂの三原色を用いる例を示したが、他の、色空間を構成する複数の原色を用いるようにしてもよい。例えば、イエロー、マゼンタ、シアン（Ｙ、Ｍ、Ｃ）を三原色とする、Ｒ、Ｇ、Ｂとは異なる三原色を用いる投影装置であってもよい。また、用途によって完全な自然色を再現する必要がない場合には、原色の一部を省略した二色を原色とする投影システムであってもよい。あるいは、逆に、より広い色域を再現するために補助的な原色を加えた四原色以上を原色とする投影システムであってもよい。
【００７０】
更に、投影装置に出力される画像信号は、必ずしもＲＧＢの三原色に分かれた３つのデジタル信号（Ｒ画像、Ｇ画像、Ｂ画像）が並列に並んだＲＧＢデジタル信号とフレーム同期信号でなくともよい。複数の異なる色の画像情報の表示順序の情報を内包していれば、画像信号の形式として他の形式を用いることもできる。この場合も、画像信号１０３は、入力画像信号１０１に基づいて生成された、異なる複数の原色の画像情報の表示順序を定めた複数の画像信号であるといえる。
【００７１】
また、上述の実施形態では、３台又は２台の投影装置を用いる投影システムの例を示したが、さらに４台以上の複数台用いる投影システムにおいても、上述の実施形態を適用可能である。例えば、４台以上の複数の投影装置を２つ又は３つの投影装置のグループに分けて、グループごとに上述の画像信号１０３のいずれかを提供するようにすれば、上述の実施形態の効果を得ることができる。
【００７２】
更に、上述の投影システムでは、投影制御装置の一例としてパーソナルコンピュータのような汎用の機器を用いる例を説明した。しかし、投影制御装置は、信号変換機能を主たる機能とするハードウェアとして実現されてもよいし、サーバ装置によって実現され、出力信号が各投影装置に無線で伝送されるように構成されてもよい。
【００７３】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００７４】
１０１…入力画像信号、３０４…位相制御部、３０５…選択部、３０６…制御部、５０３…表示デバイス部、５０４…光源部
【図１】
2019125980.tif 000003
【図２】
2019125980.tif 000004
【図３】
2019125980.tif 000005
【図４】
2019125980.tif 000006
【図５】
2019125980.tif 000007
【図６】
2019125980.tif 000008
【図７】
2019125980.tif 000009
【図８】
2019125980.tif 000010
【図９】
2019125980.tif 000011
【図１０】
2019125980.tif 000012